(57)【要約】【課題】本発明は、運動時においても体の動揺に対してヘッドの胸元からの移動が少なくて装身具としての機能を損なわず、且つペンダントヘッドとチェーンとの一体感によって装飾効果を高めたペンダントを提供する。【解決手段】ペンダントヘッドの周縁端部の全部或いは一部に断面Ｕ字形状の、開口部を有する溝５を形成し、溝５の開口部を塞ぐ蓋を連続的或いは断続的に設けた。そして、溝５に沿ってチェーン８を挿入することによってペンダントヘッドをチェーン８によって線状に支持するようにした。【選択図】  図７
2006051277.tif 000002
【特許請求の範囲】
【請求項１】
ペンダントヘッドをチェーンによって吊り下げるペンダントであって、前記ペンダントヘッドは該ペンダントヘッドの周縁端部の全部或いは一部を前記チェーンによって支持されていることを特徴とするペンダント。
【請求項２】
前記ペンダントヘッドは、該ペンダントヘッドの周縁端部の全部或いは一部に断面Ｕ字形状の、開口部を有する溝が形成され、該溝に沿って挿入された前記チェーンよって支持されていることを特徴とする請求項１に記載のペンダント。
【請求項３】
前記断面Ｕ字形状の溝は、連続した曲線及び／又は直線の組み合わせによって断面形状が構成されていることを特徴とする請求項２に記載のペンダント。
【請求項４】
前記溝には該溝の開口部を覆う蓋が連続的或いは断続的に設けられていることを特徴とする請求項２又は３の何れか１項に記載のペンダント。
【発明の詳細な説明】
【技術分野】
【０００１】
本発明は、ペンダントに関するものであり、詳しくは装飾体をチェーンによって吊り下げるペンダントに関する。
【背景技術】
【０００２】
従来のペンダントは、装飾体となるペンダントヘッド（以降、ヘッドと略称する）に一体に形成されたチェーン吊り下げ部にチェーンを通し、該チェーンを介してヘッドを首から吊り下げるもの（例えば、特許文献１参照。）や、ヘッドに一体に形成された輪環にチェーン吊り下げ金具を取り付けてチェーンを通し、該チェーンを介してヘッドを首から吊り下げるもの（例えば、特許文献２参照。）などがある。
【特許文献１】特開平７−４７００４号公報
【特許文献２】特開平７−２２７３０７号公報
【発明の開示】
【発明が解決しようとする課題】
【０００３】
上記構成のペンダントは、吊り下げ部及び吊り下げ金具にチェーンを通した時にできる遊び（隙間）によってヘッドがチェーンに沿って自由に動くことができる。従って、このようなペンダントを首から吊り下げて使用する場合、運動中の体の動きや体制の変化などによって必ずしも常にヘッドが胸元に位置するとは限らず、ヘッドが左右に移動したり、極端な場合には首の後方に回って装身具用としては見た目の悪い姿になるという問題点を有している。
【０００４】
また、ヘッドは単に吊り下げ部及び吊り下げ金具によってチェーンに引っ掛けられた様態に見えるため、ヘッドとチェーンとの間に一体感が乏しく、装身具としての魅力に欠けるという問題点も含んでいる。
【０００５】
そこで、本発明は上記問題に鑑みて創案なされたもので、運動時においても体の動揺に対してヘッドの胸元からの移動が少なくて装身具としての機能を損なわず、且つヘッドとチェーンとの一体感によって装飾効果を高めたペンダントを提供するものである。
【課題を解決するための手段】
【０００６】
上記課題を解決するために、本発明の請求項１に記載された発明は、ペンダントヘッドをチェーンによって吊り下げるペンダントであって、前記ペンダントヘッドは該ペンダントヘッドの周縁端部の全部或いは一部を前記チェーンによって支持されていることを特徴とするものである。
【０００７】
また、本発明の請求項２に記載された発明は、請求項１において、前記ペンダントヘッドは、該ペンダントヘッドの周縁端部の全部或いは一部に断面Ｕ字形状の、開口部を有する溝が形成され、該溝に沿って挿入された前記チェーンよって支持されていることを特徴とするものである。
【０００８】
また、本発明の請求項３に記載された発明は、請求項２において、前記断面Ｕ字形状の溝は、連続した曲線及び／又は直線の組み合わせによって断面形状が構成されていることを特徴とするものである。
【０００９】
また、本発明の請求項４に記載された発明は、請求項２又は３の何れか１項において、前記溝には該溝の開口部を覆う蓋が連続的或いは断続的に設けられていることを特徴とするものである。
【発明を実施するための最良の形態】
【００１０】
以下、この発明の好適な実施形態を図１から図８を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００１１】
図１は本発明に係わるペンダントの実施形態におけるヘッド１０を示す斜視図である。このヘッドのデザインは十字形状の部分１と円形状の部分２とからなっている。
【００１２】
そして、十字形状部分１は平板を打ち抜いた形状をしており、円形状部分２は平板を打ち抜いて中央部に円形状の貫通穴３を設け、周縁端部には図１のＡ−Ａ断面を表す図２に示すように円形状の周縁に沿って断面Ｕ字形状の、開口部４を有する溝５が形成されている。
【００１３】
また、図１のＢ矢視図を表す図３に示すように、十字形状部分１と円形状部分２との連結部分には円形状の貫通穴６が設けられて上記溝５と連穿されている。更に、図１のＣ矢視図を表す図４で示すように、円形状部分の十字形状部分とは反対側の周縁端部の２ヵ所には溝５の開口部４を塞ぐように蓋７が設けられている。なお、蓋を設ける第一の目的はチェーンが溝から抜け落ちるのを防止することであるが、その他、デザイン上の効果を持たせることも重要である。
【００１４】
このようなデザインのヘッドをチェーンに取り付けるには、図３のＤ−Ｄ断面を表す図５に示すように、チェーン８の片端部を溝５の開口部４を塞ぐ２ヵ所の蓋７の間を通して溝の底部９に沿って誘導し、十字形状部分１と円形状部分２との連結部分に設けられた貫通穴６を通して更に反対側の溝５の底部９に沿って誘導し、チェーン８の片端部を通した前記開口部４を塞ぐ２ヵ所の蓋７の間を再度通してヘッドの外側に引き出す。これを図５のＥ矢視図で表したものが図６である。
【００１５】
図７はヘッドがチェーンによって吊り下げられた状態を示す本発明に係わるペンダントの斜視図である。なお、ヘッドのデザインには様々なものがあり、本実施形態で示したヘッドのデザインはその一例を示すものである。従って、本発明のペンダントのヘッドは必ずしもこのデザインに限定されるものではない。
【００１６】
また、チェーンを挿入するためにヘッドの周縁端部の全部或いは一部に形成された開口部を有する溝の断面形状は、連続した曲線及び／又は直線の組み合わせからなっており、具体的には図８の（ａ）、（ａ′）で示す円弧形状、（ｂ）、（ｂ′）で示す四角形の一部及び（ｃ）、（ｃ′）で示す多角形の一部などの形状が可能である。（ｄ）、（ｄ′）で示す周縁端部を平端に形成し、連続的或いは断続的にドーム形状の屋根を形成してもよい。
【００１７】
さらに、溝の開口部からのチェーンの抜け落ち防止の蓋は、開口部を覆うように連続的に設けても良いし、断続的に設けても良い。従って、必ずしも本実施形態のように２ヵ所に限られるものではなく、ヘッドの大きさ、デザインなどによって適宜設定されるものである。
【００１８】
ここで本発明のペンダントについての効果を説明する。まず、上述のように、ヘッドの周縁端部の全部或いは一部に形成された断面Ｕ字形状の、開口部を有する溝に沿ってチェーンを挿入することによってヘッドを支持するようにした。これにより、ヘッドがチェーンによって線状に支えられることになってヘッドとチェーンの接触面積が大きくでき、体の動揺に対してもヘッドの移動が少なく、ヘッドが胸元からずれることが少なくなって装身具としての機能を十分に果すことができる。
【００１９】
また、同様にヘッドとチェーンの接触面積が大きくできることによって、チェーンに加わるヘッドの荷重が分散されるために、チェーンの損傷などの物理的、デザイン的な不具合の発生を防止することができる。
【００２０】
更に、ヘッドとチェーンとを直接結びつけるために両者の間に介在する部材が不要であり、ヘッドとチェーンとのデザイン上の一体感がアピールできる魅力ある装身具となる。などの優れた効果を奏するものである。
【図面の簡単な説明】
【００２１】
【図１】本発明に係わる実施形態のペンダントヘッドを示す斜視図である。
【図２】図１のＡ−Ａ断面図である。
【図３】図１のＢ矢視図である。
【図４】図１のＣ矢視図である。
【図５】図３のＤ−Ｄ断面図である。
【図６】図５のＥ矢視図である。
【図７】本発明に係わる実施形態のペンダンを示す斜視図である。
【図８】本発明に係わる実施形態のペンダントヘッドの他の溝形状を示す部分断面図である。
【符号の説明】
【００２２】
１    十字形状部分
２    円形状部分
３    貫通穴
４    開口部
５    溝
６    貫通穴
７    蓋
８    チェーン
９    底部
１０    ペンダントヘッド
【図１】
2006051277.tif 000003
【図２】
2006051277.tif 000004
【図３】
2006051277.tif 000005
【図４】
2006051277.tif 000006
【図５】
2006051277.tif 000007
【図６】
2006051277.tif 000008
【図７】
2006051277.tif 000009
【図８】
2006051277.tif 000010